(57)【要約】【課題】  頭髪の処理を的確に行う。【解決手段】  発熱により頭髪２１を処理する整髪処理具１３からの熱を遮断する断熱性のシート部３を備え、該シート部３に頭髪２１を挿通可能とする挿通部５を設けたことを特徴とする。このため、整髪処理具１３により整髪処理を行う頭髪を挿通部５に挿通させることで、整髪処理具１３と頭髪２１との間にシート部５を配置することができる。従って、整髪処理具１３からの熱がシート部５によって遮断することができる。【選択図】  図６
2005348965.tif 000002
【特許請求の範囲】
【請求項１】
発熱により頭髪を処理する整髪処理具からの熱を遮断する断熱性のシート部を備え、該シート部に頭髪を挿通可能とする挿通部を設けたことを特徴とする断熱シート。
【請求項２】
請求項１記載の断熱シートであって、
前記シート部は、可撓性を有していることを特徴とする断熱シート。
【請求項３】
請求項１又は２記載の断熱シートであって、
前記挿通部は、前記シート部に貫通形成され、整髪処理具よりも小さい貫通孔であることを特徴とする断熱シート。
【請求項４】
請求項３記載の断熱シートであって、
前記挿通部は、スリット状に形成されていることを特徴とする断熱シート。
【請求項５】
請求項１〜４の何れかに記載の断熱シートであって、
前記シート部の外周縁から前記挿通部へ前記頭髪を導入するための導入部が設けられていることを特徴とする断熱シート。
【発明の詳細な説明】
【技術分野】
【０００１】
本発明は、整髪処理具の発熱により頭髪を処理する際に用いられる断熱シートに関するものである。
【背景技術】
【０００２】
整髪処理具には、例えば、図１０、図１１に示すヘアウェーブ装置がある。このヘアウェーブ装置は、分電箱１０１からコード１０３を延線し、このコード１０３の先端にヘアカーラー１０５を着脱自在に接続したものである。ヘアカーラー１０５は、内部にセラミックヒータ１０７を備え、セラミックヒータ１０７の電気的な発熱によって、頭髪のカーリングを促進することができる。
【０００３】
しかしながら、セラミックヒータ１０７により加熱したヘアカーラー１０５の熱が、被整髪者の頭皮に影響を及ぼすため、ヘアカーラー１０７を被整髪者の頭髪の根元まで十分に巻き付けることができず、毛先だけにしかカールをすることができないという問題があった。また、ヘアカーラー１０７の熱を十分に高めることができず、カールを迅速且つ的確に形成することに限界があった。
【０００４】
【特許文献１】特開平９−２１５５１７
【発明の開示】
【発明が解決しようとする課題】
【０００５】
本発明が解決しようとする課題は、被整髪者の頭皮に影響を及ぼすため、頭髪の処理を的確に形成することができない点にある。
【課題を解決するための手段】
【０００６】
本発明の断熱シートは、発熱により頭髪を処理する整髪処理具からの熱を遮断する断熱性のシート部を備え、該シート部に頭髪を挿通可能とする挿通部を設けたことを最も主要な特徴とする。
【発明の効果】
【０００７】
本発明の断熱シートは、発熱により頭髪を処理する整髪処理具からの熱を遮断する断熱性のシート部を備え、該シート部に頭髪を挿通可能とする挿通部を設けたため、整髪処理具により整髪処理を行う際に頭髪を挿通部を介して挿通させておくことで、整髪処理具と頭髪との間にシート部を配置することができる。従って、整髪処理具からの熱がシート部によって遮断され、被整髪者の頭皮への熱の影響抑制することができる。この結果、頭髪の根元まで十分に整髪処理することができ、且つ整髪処理具の温度を十分に高めることができ、頭髪の処理を的確に形成することができる。
【０００８】
前記シート部が可撓性を有している場合は、隣接した間においてシート部を容易に重ねることができる。この結果、整髪処理具の配置密度を向上させることができる。
【０００９】
前記挿通部が、前記シート部に貫通形成され、整髪処理具よりも小さい貫通孔である場合は、シート部を整髪処理具と頭髪との間に確実に配置し保持することができ、より確実に整髪者の頭皮への熱の影響抑制することができる。
【００１０】
前記挿通部がスリット状に形成されている場合は、挿通部から頭皮が露出する部分を小さくし、シート部を整髪処理具と頭髪との間に、より確実に配置することができる。
【００１１】
前記シート部の外周縁から前記挿通部へ前記頭髪を導入するための導入部が設けられている場合は、頭髪を導入部から挿通部へ導入して容易に挿通させることができる。
【発明を実施するための最良の形態】
【００１２】
頭髪の処理を的確に行うという目的を、整髪処理具と被整髪者の頭皮との間に配置する断熱シートにより実現した。
【実施例１】
【００１３】
図１は本発明の実施例１に係る断熱シートを示す斜視図である。
【００１４】
本実施例の断熱シート１は、断熱性のシート部３に、頭髪を挿通可能とする挿通部５を設けたものである。前記シート部３は、例えば、グラスウール、ポリアミド、アクリルニトリル、ポリエステル系繊維等の不織布からなり、断熱性、耐熱性、及び可撓性を有している。シート部３は、その断熱性により後述する発熱により頭髪を処理する整髪処理具であるヘアウェーブ装置７のカーラー１３からの熱を遮断可能となっている。なお、シート部３は、断熱性を有していればよく、例えば、グラスウール、ポリアミド、アクリルニトリル、ポリエステル系繊維等の織物、不燃紙、シリコンゴム等のシート、或いはその他の板状体であってもよい。前記シート部３は、矩形形状に形成され、カーラー１３よりも大きく形成されている。
【００１５】
前記挿通部５は、シート部３の中心部に貫通形成された貫通孔からなり、前記シート部３に対し頭髪を挿通可能とする。挿通部５は、スリット状でカーラー１３よりも小さく形成されている。なお、挿通部は、円形形状等の貫通孔や単にシート部３に切り込みを入れたスリット状に形成しても良い。
【００１６】
前記断熱シート１は、ヘアウェーブ装置７により頭髪をカール（処理）する際に用いられる。図２はヘアウェーブ装置７を示す概略図である。
【００１７】
前記ヘアウェーブ装置７は、制御ボックス９から複数のコード１１を延線し、各コード１１の先端にそれぞれカーラー１３が着脱自在且つ電気的に接続されている。カーラー１３は、内部にセラミックヒータを備え、そのセラミックヒータの電気的な発熱によって、頭髪を内側から加熱してカーリングを促進することができる。カーラー１３の発熱は、前記制御ボックス９の複数の制御ボタン１５の操作により、例えば、連続設定、単発設定選択、温度設定等によって制御される。連続設定は、例えばカーラー１３の温度制御を一連の複数種の加熱処理のために行う。単発設定は、例えば単一の温度にカーラー１３の温度制御を行う。前記制御時の設定温度等は、制御ボックス９に設けられた液晶表示部１７に表示される。
【００１８】
前記カーラー１３には、髪止め具１９が着脱自在に取り付けられている。髪止め具１９の詳細は、図３のようになっている。図３は、髪止め具１９の側面図である。
【００１９】
前記髪止め具１９は、カーラー１３と同様に、制御ボックス９から延線された複数の各コード１２の先端に接続されている。この髪止め具１９は、一対のフラップ体２０，２２で構成されている。フラップ体２０，２２は、その湾曲部２４，２６によってカーラー１３を全体的に覆い、カーラー１３との間に頭髪を挟み込むようになっている。また、フラップ体２０，２２は、つまみ部２８，３０をつまみむことによって、結合ピン３２を中心にしてトルクスプリング３４の付勢力に抗して開き、つまみ部２８，３０を離せば閉じるようになっている。
【００２０】
前記髪止め具１９は、前記湾曲部２４，２６にフィルムヒータ３６が設けられ、そのフィルムヒータ３６の電気的な発熱によって、頭髪を外側から加熱してカーリングを促進することができる。フィルムヒータ３６の発熱は、カーラー１３の発熱と同様に制御ボックス９によって行われる。
【００２１】
従って、カーラー１３に巻き付けられた頭髪を、カーラー１３及び髪止め具１９によって内外から熱処理し、カールを迅速且つ的確に形成することができる。
【００２２】
本実施例では、前記髪止め具１９に代えて髪止め具１９Ａを用いることもできる。図４は、髪止め具１９Ａの側面図である。
【００２３】
前記髪止め具１９Ａは、基本構成が髪止め具１９と同様である。髪止め具１９Ａは、前記フィルムヒータ３６に代えてフラップ体２０Ａ，２２Ａに閉断面空間３８，４０を設けたものである。閉断面空間３８，４０には、断熱材として例えばシリコンやグラスウール等が封入されている。
【００２４】
従って、カーラー１３の温度制御に際し、髪止め具１９Ａがカーラー１３の外側を覆うから、被整髪者の頭皮にカーラー１３の熱が影響するのを抑制することができる。
【００２５】
図５は断熱シートに頭髪を挿通した状態を示す斜視図、図６はカーラーに頭髪を巻き付けた状態を示す斜視図、図７は同平面図である。
【００２６】
前記ヘアウェーブ装置７によって頭髪２１をカールする際には、図５のように、断熱シート１に挿通部５を介して頭髪２１を挿通させる。この挿通によって、断熱シート１を頭髪２１の根元側に配置しておく。このとき、断熱シート１は、シート部３が可撓性を有しているため、そのシート部３を撓ませて挿通部５を開くことにより、前記頭髪２１の挿通を容易に行わせることができる。
【００２７】
次いで、図６及び図７のように、断熱シート１を挿通した頭髪２１に前記カーラー１３を巻き付けその外周に髪止め具１９又は髪止め具１９Ａを装着する。このとき、頭髪２１の根元までカーラー１３を巻き付けておく。また、カーラー１３のコード１１に対する接続は切り離しておく。
【００２８】
このようにカーラー１３を頭髪２１に巻き付けた状態では、断熱シート１のシート部３を被整髪者の頭皮２３とカーラー１３との間に配置させることができる。そして、断熱シート１は、挿通部５がカーラー１３よりも小さく形成されているため、頭髪２１を巻き付けたカーラー１３により抜けが抑制され、確実に保持される。
【００２９】
次いで、前記作業を複数個所において行った後、各カーラー１３にコード１１を接続する。
【００３０】
この状態で、制御ボックス９の制御ボタンを操作して温度設定を行い、連続設定或いは単発設定により制御を開始する。この設定により、カーラー１３や髪止め具１９の温度が適宜制御される。例えば、カーラー１３を、初期に常温から１３０℃程度まで上昇させ１０分程度維持し、頭髪に急激な熱ストレスを与える。その後カーラー１３の温度を１００℃前後まで下げる。このように短時間に高温度に制御すると、頭髪に熱による影響を少なくしながら確実にカールを施すことができる。
【００３１】
また、前記温度を、常温から１５０℃の範囲でリアルタイムに制御することで健康毛やダメージ毛等、種々の整髪を行うことができる。
【００３２】
また、髪止め具１９の温度を、カーラー１３に対し、例えば５０℃の温度差によって、相対的に低い温度に制御する。
【００３３】
このような、温度制御に際し、断熱シート１のシート部３がカーラー１３と被整髪者の頭皮２３との間に配置されるため、シート部３によってカーラー１３からの熱を遮断することができる。従って、被整髪者の頭皮２３に前記熱が影響をするのを確実に抑制しながら、頭髪２１の根元までカーリングすることが可能となる。この結果、例えば、頭髪２１の毛先のみ、根元まで、或いはその中間までのように、カールの程度を自由に設定することができ、カールを的確に形成することができる。
【００３４】
また、被整髪者の頭皮２３に前記熱が影響をするのを抑制することができるので、カーラー１３による頭髪２１の熱処理を的確に行い、カールを迅速且つ的確に形成することができる。
【００３５】
以上、断熱シート１によって被整髪者の頭皮２３への熱の影響を抑制することができる。従って、頭髪２１の根元まで整髪処理を行うことができ、カールを的確に形成することができる。また、断熱シート１は、被整髪者の頭皮２３への整髪促進用の液体による影響、例えば、パーマ用液が頭皮２３に付着することによる影響を防止することもできる。さらに、断熱シート１は、布製であるため、整髪促進用の液体を吸収することができ、その影響を、より確実に抑制することができる。
【００３６】
また、被整髪者の頭皮２３への熱の影響を抑制することができるため、カーラー１３の温度を十分に高めて、カールを迅速且つ的確に形成することができる。
【００３７】
断熱シート１は、挿通部５がカーラー１３よりも小さく形成されているため、シート部３を挿通した頭髪２１をカーラー１３に巻き付けるだけで、頭皮２３とカーラー１３との間に確実に保持することができる。
【００３８】
前記挿通部５は、スリット状に形成されているため、シート部３を挿通した頭髪２１を整えてカーラー１３への頭髪２１の巻付けを容易に行わせることができる。また、スリット状に形成されていることから、挿通部５からの頭皮２３の露出を小さくすることができる。従って、被整髪者の頭皮２３への熱の影響を、より確実に抑制することをができる。
【００３９】
頭髪２１の挿通の際には、シート部３が可撓性を有しているため、シート部３を撓ませて挿通部５を開くことによって作業を容易に行わせることができる。
【００４０】
また、隣接した断熱シート１は、シート部３が可撓性を有しているため、シート部３を容易に重ねることができる。この結果、カーラー１３の配置密度を向上させることができる。
【実施例２】
【００４１】
図８は、本発明の実施例２に係る断熱シートの斜視図である。
【００４２】
本実施例の断熱シート１Ａは、シート部３の外周縁２５から挿通部５へ頭髪２１を導入するための導入部２７を設けたものである。すなわち、前記導入部２７は、挿入部５と前記外周縁２５との間に設けられている。本実施例においては、挿入部５を外周縁２５から設けることによって形成されている。従って、導入部２７は、平面視形状において挿入部５を外部と連通している。
【００４３】
本実施例では、上記実施例と同様の作用及び効果を奏することができるのに加え、頭髪２１の根元側を導入部２７から挿通部５へ入れ込むことによって導入し、これによって頭髪２１をシート部３に対し挿通させることができる。従って、シート部３に対する挿通を極めて容易に行わせることができる。
【００４４】
図９は、実施例２の変形例に係る断熱シートの斜視図である。
【００４５】
本実施例の断熱シート１Ｂは、導入部２７Ａをシート部３に切り込みを入れることで形成したものである。従って、本実施例においても実施例２と同様の作用及び効果を奏することができる。
【図面の簡単な説明】
【００４６】
【図１】断熱シートを示す斜視図である（実施例１）。
【図２】ヘアウェーブ装置を示す概略図である（実施例１）。
【図３】髪止め具を示す側面図である（実施例１）。
【図４】別の髪止め具を示す側面図である（実施例１）。
【図５】断熱シートに頭髪を挿通した状態を示す斜視図である（実施例１）。
【図６】ヘアウェーブ装置に設けられているカーラーに頭髪を巻き付けた状態を示す斜視図である（実施例１）。
【図７】ヘアウェーブ装置に設けられているカーラーに頭髪を巻き付けた状態を示す平面図である（実施例１）。
【図８】断熱シートの斜視図である（実施例２）。
【図９】変形例に係る断熱シートの斜視図である（実施例２）。
【図１０】ヘアウェーブ装置の斜視図である（従来例）。
【図１１】ヘアカーラーの一部を断面にした正面図である（従来例）。
【符号の説明】
【００４７】
１  断熱シート
３  シート部
５  挿通部
７  ヘアウェーブ装置（整髪処理具）
１３  カーラー（整髪処理具）
２７，２７Ａ  導入部
【図１】
2005348965.tif 000003
【図２】
2005348965.tif 000004
【図３】
2005348965.tif 000005
【図４】
2005348965.tif 000006
【図５】
2005348965.tif 000007
【図６】
2005348965.tif 000008
【図７】
2005348965.tif 000009
【図８】
2005348965.tif 000010
【図９】
2005348965.tif 000011
【図１０】
2005348965.tif 000012
【図１１】
2005348965.tif 000013